(57)【要約】【課題】  新しい動画を普及するためのプラットフォームとしての動画配信システムを提供する【解決手段】  動画に広告を挿入して広告入りの動画を制作し、これを配信する広告入り動画配信システムＳは、ユーザ端末Ｔ１に制作する動画のフォーマット又は動画コンテンツを提供する動画コンテンツサーバＳ１と、広告コンテンツサーバＳ２と、ネットワークを介して接続された動画配信システムＳ３と、動画及び広告コンテンツを管理し、配信実績を集計管理する管理サーバＳ４により構成されている。動画は、４コマのセクションから構成され、動画配信システムＳは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算する。【選択図】図１
2020077351.tif 000002
【特許請求の範囲】
【請求項１】
所定の長さ・解像度の動画の所定箇所に広告を挿入して広告入りの動画を制作し、これを配信する広告入り動画配信システムであって、
制作者側のユーザ端末に制作する動画のフォーマット又は動画コンテンツを提供する動画コンテンツサーバと、
前記動画に挿入するための広告動画コンテンツを格納した広告コンテンツサーバと、ネットワークを介して接続された動画配信システムと、
前記コンテンツサーバに配信された動画及び広告コンテンツを管理し、配信実績を集計管理する管理サーバにより構成され、
前記所定の長さ・解像度の動画は、４コマのセクションから構成され、
前記広告入り動画配信システムは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算することを特徴とする広告入り動画配信システム。
【請求項２】
所定の長さ・解像度の動画の所定箇所に広告を挿入して広告入りの動画を制作し、これを配信する広告入り動画配信システムであって、
制作者側のユーザ端末に制作する動画のフォーマット又は動画コンテンツを提供する動画コンテンツサーバと、
前記動画に挿入するための広告動画コンテンツを格納した広告コンテンツサーバと、ネットワークを介して接続された動画配信システムと、
前記コンテンツサーバに配信された動画及び広告コンテンツを管理し、配信実績を集計管理する管理サーバにより構成され、
前記広告入り動画配信システムは前記制作者側のユーザ端末で制作又は選択した動画の１ヶ所か複数箇所に所定間隔で選択した広告コンテンツを挿入して制作された広告入り動画を、制作者側端末の要求に応じて指定した特定の個人の端末に配信または告知し、前記広告入り動画の制作者及び前記広告コンテンツの提供元を管理して広告に対する対価を計算することを特徴とする広告入り動画配信システム。
【請求項３】
前記動画コンテンツサーバは、タイトル映像の選択、第１映像の選択、第２映像の選択、第３映像の選択及び第４映像の選択を前記制作者側端末に表示して前記制作者側端末の選択により前記映像コンテンツを制作することを特徴とする請求項１または２に記載の動画配信システム。
【請求項４】
請求項１から請求項３のいずれか１項に記載の動画配信システムにおける広告入り動画の配信方法であって、
制作者端末は、前記動画配信システムの動画コンテンツサーバにアクセスして、ベースとなる動画コンテンツを制作又は選択する工程と、
前記動画コンテンツに広告を組み込み広告入り動画コンテンツを制作する工程と、
前記広告入り動画コンテンツを前記動画配信サーバにアップロードする工程と、
を含むことを特徴とする広告入り動画の配信方法。
【請求項５】
前記広告入り動画を前記動画配信サーバにアップロードする工程において、前記制作者側端末は、配信相手を指定し、前記動画配信サーバは、前記制作者側の端末の指定に応じた端末に前記広告入り動画又はそのＵＲＬを送信することを特徴とする請求項４に記載の動画配信方法。
【請求項６】
前記制作者側の端末は、前記動画コンテンツサーバを介してタイトル映像の選択、第１映像の選択、第２映像の選択、第３映像の選択及び第４映像の選択を前記制作者側端末に表示して前記制作者側端末の選択により前記映像コンテンツを制作することを特徴する請求項４又は請求項５に記載の動画配信方法。
【請求項７】
請求項１から請求項３のいずれか１項に記載の動画配信システムにおける広告入り動画の製造方法であって、前記制作者側の端末は、前記動画コンテンツサーバを介してタイトル映像の選択、第１映像の選択、第２映像の選択、第３映像の選択及び第４映像の選択を前記制作者側端末に表示して前記制作者側端末の選択により前記映像コンテンツを製造することを特徴とする広告入り動画の製造方法。
【発明の詳細な説明】
【技術分野】
【０００１】  本発明は、告入り動画配信システム、配信方法及び広告入り動画の製造方法に関するものである。
【背景技術】
【０００２】  メディア業界に大変革の波が押し寄せてきている。紙媒体メディアは凋落の一途で、大幅に発行部数を減らしつつあり、ＴＶメディアも慢性的な視聴率の低下に喘いでいる。その一方で、急速に勢力を伸ばしつつあるのがネット系のメディアであり、特にプラットフォーマー型メディアである。
このメガトレンドを読み解くキーワードは、「モバイル」「パーソナライズ（個人に最適化）」「５Ｇ」「プラットフォーム」「サブスクリプション」の５つの言葉である。【０００３】  ５Ｇ時代が到来すれば、高画質、大容量のデータ通信が可能となり、動画視聴は常時接続が当たり前となる。映画にドラマ、広告、ニュースなど、あらゆるものが動画化され、且つ、モバイルでの視聴が大幅に増加していくとすると、視聴に対して時間や場所の制限から自由になると同時に、３０〜６０分の長尺の動画よりも数分以内の超短尺の動画がより好まれるかもしれない。【０００４】  このようなウェブで動画を展開する際の鉄則として、以下の５項目が考えられている。
１  動画は１分以内に納めること
２  頭２秒で視聴者をキャッチすること
３  「同じポジション」は３秒以内に抑えること
４  「ワンショット」よりも「ツーショット」を重視すること
５  基本的に無音。雑誌の作りを意識すること。【０００５】  一方、インターネットを用いて動画を公開するサイトは種々存在する。その際に、動画を視聴する際に広告を挿入して無料化する試みがみられている。例えば、特許文献１には、視聴の邪魔にならず、有効な広告効果が期待でき、広告代理店の収入増加が図れる動画・映像配信を廉価又は無料で提供するシステムとして、動画・映像コンテンツを保有する配信サーバと、視聴者のクライアント端末とがインターネットを介して接続され、前記配信サーバからクライアント端末に前記動画・映像コンテンツが配信される動画・映像配信システムにおいて、【０００６】  前記配信サーバは、前記動画・映像コンテンツに広告を瞬間的に映し出されるように挿入する広告挿入手段と、事前に同意した視聴者のクライアント端末のみに広告入りの動画・映像コンテンツを配信する配信管理手段とを有し、前記配信サーバは広告代理店によって管理運営されるように構成したシステムを提供している。
【先行技術文献】
【特許文献】
【０００７】
【特許文献１】特開２００７−８１９７４号公報
【発明の概要】
【発明が解決しようとする課題】
【０００８】  しかしながら、特許文献１は既存の映像に対して無料で視聴できるサービスであるが、新たな映像技術を喚起・奨励するものではない。【０００７】  したがって、本発明の課題は、新しい動画を普及するためのプラットフォームとしての動画配信システム、動画配信方法及び広告入り動画の制作方法を提供することである。
【課題を解決するための手段】
【０００８】  上記課題を解決する本発明は、次の項目に関する。
１  所定の長さ・解像度の動画の所定箇所に広告を挿入して広告入りの動画を制作し、これを配信する広告入り動画配信システムであって、
制作者側のユーザ端末に制作する動画のフォーマット又は動画コンテンツを提供する動画コンテンツサーバと、
前記動画に挿入するための広告動画コンテンツを格納した広告コンテンツサーバと、ネットワークを介して接続された動画配信システムと、
前記コンテンツサーバに配信された動画及び広告コンテンツを管理し、配信実績を集計管理する管理サーバにより構成され、
前記所定の長さ・解像度の動画は、４コマのセクションから構成され、
前記広告入り動画配信システムは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算することを特徴とする広告入り動画配信システム。【０００９】２    所定の長さ・解像度の動画の所定箇所に広告を挿入して広告入りの動画を制作し、これを配信する広告入り動画配信システムであって、
制作者側のユーザ端末に制作する動画のフォーマット又は動画コンテンツを提供する動画コンテンツサーバと、
前記動画に挿入するための広告動画コンテンツを格納した広告コンテンツサーバと、ネットワークを介して接続された動画配信システムと、
前記コンテンツサーバに配信された動画及び広告コンテンツを管理し、配信実績を集計管理する管理サーバにより構成され、
前記所定の長さ・解像度の動画は、４コマのセクションから構成され、
前記広告入り動画配信システムは前記制作者側のユーザ端末で制作又は選択した動画の１ヶ所か複数箇所に所定間隔で選択した広告コンテンツを挿入して制作された広告入り動画を、制作者側端末の要求に応じて指定した特定の個人の端末に配信または告知し、前記広告入り動画の制作者及び前記広告コンテンツの提供元を管理して広告に対する対価を計算することを特徴とする広告入り動画配信システム。【００１０】３  前記動画コンテンツサーバは、タイトル映像の選択、第１映像の選択、第２映像の選択、第３映像の選択及び第４映像の選択を前記制作者側端末に表示して前記制作者側端末の選択により前記映像コンテンツを制作することを特徴とする１または２に記載の動画配信システム。【００１１】４  １から３のいずれか１項に記載の動画配信システムにおける広告入り動画の配信方法であって、
制作者端末は、前記動画配信システムの動画コンテンツサーバにアクセスして、ベースとなる動画コンテンツを制作又は選択する工程と、
前記動画コンテンツに広告を組み込み広告入り動画コンテンツを制作する工程と、
前記広告入り動画コンテンツを前記動画配信サーバにアップロードする工程と、
を含むことを特徴とする広告入り動画の配信方法。【００１２】５  前記広告入り動画を前記動画配信サーバにアップロードする工程において、前記制作者側端末は、配信相手を指定し、前記動画配信サーバは、前記制作者側の端末の指定に応じた端末に前記広告入り動画又はそのＵＲＬを送信することを特徴とする４に記載の動画配信方法。【００１３】６  前記制作者側の端末は、前記動画コンテンツサーバを介してタイトル映像の選択、第１映像の選択、第２映像の選択、第３映像の選択及び第４映像の選択を前記制作者側端末に表示して前記制作者側端末の選択により前記映像コンテンツを制作することを特徴する４又は５に記載の動画配信方法。【００１４】７  １から３のいずれか１項に記載の動画配信システムにおける広告入り動画の製造方法であって、前記制作者側の端末は、前記動画コンテンツサーバを介してタイトル映像の選択、第１映像の選択、第２映像の選択、第３映像の選択及び第４映像の選択を前記制作者側端末に表示して前記制作者側端末の選択により前記映像コンテンツを製造することを特徴とする広告入り動画の製造方法。
【発明の効果】
【００１５】  本発明によると、所定の長さ・解像度の動画の所定箇所に広告を挿入して広告入りの動画を制作し、これを配信する広告入り動画配信システムであって、制作者側のユーザ端末に制作する動画のフォーマット又は動画コンテンツを提供する動画コンテンツサーバと、前記動画に挿入するための広告動画コンテンツを格納した広告コンテンツサーバと、ネットワークを介して接続され、前記所定の長さ・解像度の動画は、４コマのセクションから構成され、前記広告入り動画配信システムは、前記制作者側のユーザ端末で制作又は選択した動画の１ヶ所か複数箇所に所定間隔で選択した広告コンテンツを挿入して制作された広告入り動画をインターネット上に公開し、公開した動画を閲覧者側の端末で閲覧した際に、前記広告入り動画の制作者及び前記広告コンテンツの提供元を管理して広告に対する対価を計算することを特徴とする広告入り動画配信システムが提供される。【００１６】  このようなシステムは、例えば所定の長さすなわち約１分以内の短い映像であること、２  頭２秒で視聴者をキャッチすること、３  「同じポジション」は３秒以内に抑えること４  「ワンショット」よりも「ツーショット」を重視すること、５  基本的に無音。雑誌の作りを意識すること。等の新しい映像を構築することができる。
４コマの動画とすることにより起承転結が明確になり新規の映像の需要が喚起できる。これに広告を入れることにより無料で新しい映像の表現の場をつくることができる等のメリットがある。【００１７】  さらに、本発明において制作者側は制作者の感性や好みに合わせた広告を選択することができる。従来のように映像コンテンツの運営サイトから恣意的に広告が選択されるのではなく、制作者側で決めることが可能となるので、広告する側の品質の向上も期待できる。【００１８】  また、本発明で使用される画像は短い画像であるので解像度を落とすことにより電子メール等により配信可能となる。そのため、例えば制作者は制作者の特定の友人等へ自分の作品を配信することが可能となる。この場合、例えば、制作者側と受け手側で広告料をシェアすることにより新たな４コマ動画の制作意欲と作品の品質向上を喚起することが可能となる。
【図面の簡単な説明】
【００１９】
【図１】  本発明の動画配信システム全体を示す図面である。
【図２】  本発明の動画配信システムで取り扱うベース動画の構成の一例を示す図面である。
【図３】  本発明の動画配信システムで取り扱う広告入り動画の構成の一例を示す図面である。
【図４】  本発明の動画配信システムで広告入りの動画を電子メールにより送信する実施形態を示す図面である。
【図５】  本発明の動画配信システムで動画を投稿する手順を示すフローチャートである。
【図６】  図６で示す動画投稿における映像・音声の編集方法を示す図面である。
【図７】  本発明の動画配信システムの適用例を示す図面である。
【図８】  本発明の動画配信システムにおける広告料の獲得までの流れを示す図面である。
【発明を実施するための形態】
【００２０】  以下、本発明の実施の形態を添付図面に基づいて説明する。
図１に示す通り、本発明のシステムＳは、所定の長さ・解像度の動画の所定箇所に広告を挿入して広告入りの動画を制作し、これを配信する広告入り動画配信システムである。
【００２１】  このシステムは、制作者側のユーザ端末Ｔ１に制作する動画のフォーマット又は動画コンテンツを提供する動画コンテンツサーバＳ１と、動画に挿入するための広告動画コンテンツを格納した広告コンテンツサーバＳ２（ＣＭコンテンツサーバ）と、ネットワークを介して接続された動画配信システムＳ３と前記コンテンツサーバに配信された動画及び広告コンテンツを管理し、配信実績を集計管理する管理サーバＳ４により構成されている。
【００２２】  本発明において、このようなシステムにおいて取り扱うベースとなる動画は、所定の長さ、一般的には短い映像、具体的には例えば６０秒以内の映像であり、所定の解像度を有している画像であって、４コマのセクションから構成されている。
【００２３】  そして本発明のシステムＳは、制作者側のユーザ端末Ｔ１で制作又は選択した動画の１ヶ所か複数箇所に所定間隔で選択した広告コンテンツを挿入して制作された広告入り動画をインターネット上に公開し、公開した動画を閲覧者側の端末Ｔ２で閲覧した際に、広告入り動画の制作者及び前記広告コンテンツの提供元を管理して広告に対する対価を計算する構成となっている。
【００２４】  また、本発明の特定の実施形態において、本発明のシステムＳは、制作者側のユーザ端末Ｔ１で制作又は選択した動画の１ヶ所か複数箇所に所定間隔で選択した広告コンテンツを挿入して制作された広告入り動画を、制作者側端末Ｔ１の要求に応じて指定した特定の個人の端末Ｔ３に配信または告知し、前記広告入り動画の制作者及び前記広告コンテンツの提供元を管理して広告に対する対価を計算する構成としてもよい。
【００２５】  このように構成すると、制作者の個人的知り合いで制作者の制作物を閲覧可能となるだけでなく、付属された広告の広告料をシェアすることも可能となる。
【００２６】なお、本発明において使用される用語「４コマのセクションから構成された所定の長さ・解像度の動画」とは、従来技術で記載された下記５項目のうち、少なくとも項目１、好ましくは項目２、３、４より好ましくは全項目を満足する画像であり、目的に応じた解像度を有している。そして、この４コマのセクションから構成された所定の長さ・解像度の動画」は、図２に示す通り４セクションで構成されている。
【００２７】  １  動画は１分以内に納めること
２  頭２秒で視聴者をキャッチすること
３  「同じポジション」は３秒以内に抑えること
４  「ワンショット」よりも「ツーショット」を重視すること
５  基本的に無音。雑誌の作りを意識すること
【００２８】  そして、本発明で広告を組み込んだ４コマセクションから構成される動画とは、例えば図３に示すような映像である。
【００２９】  このように構成された本発明の動画における各コマは、たとえば、「青」「緑」「黄」「赤」のような色彩を持ったフレームの中で展開表現することが可能である。目立たないように黒色の「濃淡変化」だけの色彩フレームであってもよい。
【００３０】  また、「ｅＭａｉｌ」や「Ｍｅｓｓｅｎｇｅｒ（登録商標名）」、「Ｔｅｌｅｇｒａｍ（登録商標名）」「ＬＩＮＥ（登録商標名）メール」、「＋メッセージ（登録商標名）」などの既存のサービスに添付して知人などの第三者に容易に送信できるサービスシステムを装備することも可能である。
【００３１】  また、本発明の広告入動画における広告について、例えば動画の開始前と終了後に５秒程度の「ＣＭ動画」を挿入することができる。これに加えてあるいはこれに代えて４コマ動画のフレーム内に「広告」を挿入表示することも可能である。
【００３２】  本発明においては、限定されるものではないが動画コンテンツは主に投稿により集めるものとし、この際に広告収入は動画投稿者、並びに視聴者の一部とシェアすることが考えられる。しかしながら、これらの広告収入の分配法については特に限定されず任意に定めることができる。
【００３３】  また、本発明の広告入り動画は、インターネットでＷＥＢ上に公開するだけでなく、例えば特定の相手に送信することができる（図４参照）。例えば、動画画面（広告画面を含む）の枠下段に表示されている各種メールやメッセージサービスに関するアイコンをクリック（或いはタッチ）すると、当該サービスに４コマ動画が添付された状態の画面が表示され、友人など第三者に「４コマ動画」を拡散することができ、これにより当該視聴者は広告収益分配の当事者にエントリーすることができる。
【００３４】  また「４コマ動画」は、例えば投稿サイトでの作り方ボタンや掲載されているガイドラインに従って容易に制作可能である。図５および図６に示す通り、サイトのガイドラインに従い、４コマ動画を
題名⇒「起」⇒「承」⇒「転」⇒「結」
題名⇒「起」⇒「承」⇒「承」⇒「結」
題名⇒「結」⇒「起」⇒「承」⇒「メイキング」
等のパターンで、映像と音声を同時に、或いは個別に編集入力し、編集終了後に投稿ボタンを選択することにより投稿することができる。
【００３５】  「タイトル」を入れて、合計５コマの映像（＋音声）を入力することになるが、１コマ毎に映像と音声の簡単入力編集ができる。仮に１コマが制限時間（例えば６０秒）を超えていて、その中の１５秒だけを利用したいとする。その場合、図６に示す通りマウス操作で開始時間を設定すると自動でそこから１５秒の１コマ分の映像を作成する。音声は同期。逆に、音声から先に設定して映像を同期させてもよい。この作業を５回繰り返すと「４コマ動画」が完成する。このように構成することにより数分でだれでも容易に制作から投稿を一連の作業で行うことができる。
【００３６】  このようにして制作し投稿した広告入り動画は、図７に示す通りに適用される。このように４コマの短時間で視聴できる動画は、現在存在せず新たなコンテンツとして各種分野に適用が可能である。例えば出版社と連携した新たな漫画家を発掘育成することも可能であり、４コマ動画に基づく「芸人」等を育成することも可能であり、４コマ動画作成セミナー、作成アプリケーション開発、等を行うことも可能である。
【００３７】  また、投稿から広告料の獲得までの流れは例えば図８に示す通りである。なお、図１に示す通り本発明の特定の実施形態において、広告コンテンツは制作者側で自由に選択することも可能である。このように広告コンテンツから図２、図３で説明した通り広告を選択して組み込むことにより制作者側は広告を含めた４コマ動画作品を制作することが可能である。この場合「予め、広告動画が制作者側から閲覧可能な状態で保存されていて１）動画制作者が好みのＣＭを選択する。２）ＷＥＢサイト側で、投稿動画自体と選択されたＣＭに関する審査をして、ＯＫなら配信される。」等が考えられる。
【符号の説明】
【００３８】  Ｓ    広告入り動画配信システム
Ｓ１  動画コンテンツサーバ
Ｓ２  広告コンテンツサーバ
Ｓ３  動画配信システム
Ｓ４  管理サーバ
Ｔ１  制作側ユーザ端末
Ｔ２  視聴ユーザ端末
Ｔ３  特定ユーザ端末
【図１】
2020077351.tif 000003
【図２】
2020077351.tif 000004
【図３】
2020077351.tif 000005
【図４】
2020077351.tif 000006
【図５】
2020077351.tif 000007
【図６】
2020077351.tif 000008
【図７】
2020077351.tif 000009
【図８】
2020077351.tif 000010